(57)【要約】【課題】耐腐食性というものを考慮しながら、配管の伸縮対応や必要に応じて配管の固定を確実に行なえ、使い勝手が良く、且つ敷設作業が簡単に行なえるアンカーブロックを提供する。【解決手段】ポリプロピレン或いはポリエチレン等の合成樹脂を使用し、略直方体を呈した形状を有し、巾方向中央部であって長手方向に平行して配管載置用のＶ字状溝を形成し、該Ｖ字状溝が形成されている部分を除く両サイド側は平面とし、それぞれのサイド側平面部には、貫通孔である４つの取付孔を貫設させ、長手方向の略中央部で巾方向両側面には比較的浅く、底面を平坦状とした溝を形成する。【選択図】            図１
2005325990.tif 000002
【特許請求の範囲】
【請求項１】
ポリプロピレン或いはポリエチレン等の合成樹脂を使用し、略直方体を呈した形状を有し、巾方向中央部であって長手方向に平行して配管載置用のＶ字状溝を形成し、該Ｖ字状溝が形成されている部分を除く両サイド側は平面とし、それぞれのサイド側平面部には、貫通孔である４つの取付孔を貫設させ、長手方向の略中央部で巾方向両側面には比較的浅く、底面を平坦状とした溝を形成したことを特徴とする配管敷設用アンカーブロック。
【請求項２】
巾方向中央部であって長手方向に平行した配管載置用のＶ字状溝を、上下両側に形成したことを特徴とする請求項１記載の配管敷設用アンカーブロック。
【請求項３】
ポリプロピレン或いはポリエチレン等の合成樹脂を基材とし、該基材に鉄片等を混在させたことを特徴とする請求項１及び請求項２記載の配管敷設用アンカーブロック。
【発明の詳細な説明】
【技術分野】
【０００１】  本発明は、ガス及び上下水道等の配管を地中に埋設する時に、配管の架台として使用する配管敷設用アンカーブロックに関するものである。
【背景技術】
【０００２】  ガス及び上下水道等の配管を地中に敷設するには、先ず設定された部分に溝を掘削し、砂利や砕石を敷いて土留めを施した後管を吊り下ろし、菅同士を接合連接してから土を埋め戻すというのが一般的な手順である。この時配管は、各配管の連接を確実に、簡単に行うために、それぞれ隣り合う配管の長手方向に対する左右方向そして上下方向の位置（レベル）を合わせて、長手方向軸心をできるだけ合わせる必要がある。従って、配管をただ溝に入れるのではなく、配管を載せる台である架台即ちアンカーブロックを使用する場合が多い。アンカーブロックを使用することにより、配管の敷設を安定させることに加え、配管の位置（上下左右）調整が比較的簡単に行なうことが出来るようになる。例えば左右方向の調整は、アンカーブロックを移動調整すれば良く、上下方向調整は、シムを使用すること等で簡単に行なえるようになる。【０００３】  従来、アンカーブロックに相当する基礎架台として、松材等の木材が使用されたものが知られている。この基礎架台は、大きさが１０ｃｍ程で、配管長手方向に間欠的に使用されているため、基礎架台に集中荷重が掛かり、しかもその荷重が等しいとは限らず、不等沈下が起こり、場合によっては、配管の連接部分のシール外れや配管そのものの折れが発生することもあった。更に、木材であるため、割れや欠けが多く、高い含水性を有することから、地下水による劣化が起こり易いという問題があった。こうした問題を解決するものとして、ポリオレフィン系樹脂（ポリエチレン、ポリプロピレン）の発泡体を材料とし、連接可能構造として配管敷設長さに対応するよう組み付け、その上に配管を載置するようにしたものが提案されている。（特許文献１参照）そして、このような構造とすることで、基礎架台への集中荷重を無くして不等沈下を防止し、配管のシール外れや配管そのものの折れを無くし、更には耐腐食性を向上させ、長いライフサイクルを持たせること等の効果を狙ったものである。そして、ここで提案されている基礎架台の基本的断面形状は、長方形の幅広側上面を配管外形に合わせた凹状曲面状とし、下面はフラット状としている。下面のフラット状部は溝への設置面であり、上面の凹状曲面には配管が載置されるようになっている。
【特許文献１】特開平８−７５０４９
【発明の開示】
【発明が解決しようとする課題】
【０００４】  上述したように、ガスや上下水道の配管敷設用架台即ちアンカーブロックとして、ポリオレフィン系樹脂を材料として耐腐食性を向上させ、長いライフサイクルを持たせ、且つ間欠的に使用するのではなく、配管長手方向に対応させて連続して使用するようにして、アンカーブロックへの集中荷重を無くし、不等沈下を防止し、配管のシール外れや配管そのものの折れを無くすようにしたものは存在する。【０００５】  確かに、耐腐食性を向上させ、長いライフサイクルを持たせること、そして集中荷重による不等沈下を防止して配管のシール外れや配管そのものの折れを無くすことは、アンカーブロックとして重要であることは云うまでもない。【０００６】  然しながら、アンカーブロックにとっての重要な役目には、上述したことばかりでなく、配管（ポリプロピレン製管、鋼管等）の伸縮対応や必要に応じた配管の固定ということも含まれ、この点に於いて、上記先行技術は何等開示してなく、又不等沈下の防止にしても、配管の長手方向に対応させて載置即ち配管全てをアンカーブロック上に載置するという過剰対応とも云うべき方法を取っている。その為、数多くのアンカーブロックが必要になり、それに伴い敷設する為の工数も多くなる。更に、材料としてポリオレフィン系樹脂の発泡体を使用している点、軽量化を考慮していることは理解出来るにしても、発泡体であることから、弾力性が高いのは当然で、その為配管を溝内に敷設して土を埋め戻した時の状況によっては、配管の受ける荷重が極端に異なり、異なる荷重によって、個々のアンカーブロックの撓み量が異なり、配管連接部のシール外れが発生することにもなりかねない。それ故に、先行技術がアンカーブロックの使い方を間欠ではなく、配管全てにアンカーブロックを使用する方法をとっているものと思われるが、個々のアンカーブロックの撓み量が異なることによる配管連接部のシール外れという心配は残される。【０００７】  本発明は、こうした従来技術に鑑み、耐腐食性というものを考慮しながら、配管の伸縮対応や必要に応じて配管の固定を確実に行なえ、使い勝手が良く、且つ敷設作業が簡単に行なえるアンカーブロックを提供することを目的としている。
【課題を解決するための手段】
【０００８】  上記目的を達成するために、請求項１記載の発明は、ポリプロピレン或いはポリエチレン等の合成樹脂を使用し、略直方体を呈した形状を有し、巾方向中央部であって長手方向に平行して配管載置用のＶ字状溝を形成し、該Ｖ字状溝が形成されている部分を除く両サイド側は平面とし、それぞれのサイド側平面部には、貫通孔である４つの取付孔を貫設させ、長手方向の略中央部で巾方向両側面には比較的浅く、底面を平坦状とした溝を形成したものである。この様に構成したことにより、耐腐食性を向上させて長いライフサイクルを持たせながら、配管の伸縮対応や必要に応じて配管の固定を確実に行なえ、使い勝手が良く、且つ敷設作業を簡単に行なえる配管敷設用アンカーブロックを提供することが出来る。【０００９】  請求項２記載の発明は、巾方向中央部であって長手方向に平行した配管載置用のＶ字状溝を、上下両側に形成したものである。この様に構成したことにより、径の異なる配管を適切に載置出来るようになり、汎用性が高くなり、種々の配管用として共通使用することが可能な配管敷設用アンカーブロックを提供することが出来る。【００１０】  請求項３記載の発明は、ポリプロピレン或いはポリエチレン等の合成樹脂を基材とし、該基材に鉄片等を混在させたものである。この様に構成したことにより、配管敷設後による埋設位置の磁気探査用マーカー即ち目印としての機能を持たせた配管敷設用アンカーブロックを提供することが出来る。
【発明の効果】
【００１１】  本発明は、以上説明したように構成されているので、下記に説明するような効果を奏する。【００１２】  本発明による配管敷設用アンカーブロックは、ポリプロピレン或いはポリエチレン等の合成樹脂を使用し、略直方体を呈した形状を有し、巾方向中央部であって長手方向に平行して配管載置用のＶ字状溝を形成し、該Ｖ字状溝が形成されている部分を除く両サイド側は平面とし、それぞれのサイド側平面部には、貫通孔である４つの取付孔を貫設させ、長手方向の略中央部で巾方向両側面には比較的浅く、底面を平坦状とした溝を形成したので、合成樹脂を使用することにより、耐腐食性を向上させて長いライフサイクルを持たせながら、前記取付孔や前記平坦状の溝を有効利用することで、配管の伸縮対応や必要に応じた配管の固定が確実に行なえ、配管を載置する部分即ち長手方向の長さを適切な長さとしてある為、配管敷設長さに対して必要最小限の数を設定して、間欠的に使用することで、使い勝手が良くなり、且つ敷設作業を簡単に行なうことが出来る。【００１３】  更に、本発明による配管敷設用アンカーブロックは、巾方向中央部であって長手方向に平行した配管載置用のＶ字状溝を、上下両側に形成したので、径の異なる配管を適切に載置出来るようになり、汎用性が高くなり、種々の配管用として共通使用することが出来る。【００１４】  更に、本発明による配管敷設用アンカーブロックは、ポリプロピレン或いはポリエチレン等の合成樹脂を基材とし、該基材に鉄片等を混在させたので、配管敷設後による埋設位置の磁気探査用マーカー即ち目印としての機能を持たせることが出来、しかも地下水に対して腐食し易い鉄片等を合成樹脂で実質的に包被した状態としてあるので、磁気探査用マーカー機能を長期間安定的に維持することが出来る。
【発明を実施するための最良の形態】
【００１５】    以下、本発明の実施の形態を図１〜図３に基づき詳細に説明する。図１は本発明によるアンカーブロックの一実施例を示す平面図で、図２は図１のＡ−Ａ断面図であって、図３は本発明によるアンカーブロックの他の実施例を示し、図１のＡ−Ａに相当する断面図である。【００１６】  それでは、図１と図２を参照しながら、その構成を説明する。１は、ポリプロピレン（ＰＰ）或いはポリエチレン（ＰＥ）等の合成樹脂で作られたアンカーブロックで、略直方体を呈し、その一例を示せば、巾が１５０ｍｍで、長さが２５０ｍｍそして高さが５０ｍｍのブロック状となっている。勿論これは一例であり、改変可能なのであるが、このような基本形状を有するアンカーブロック１の上下両側には、巾方向中央部であって長手方向に平行してＶ字状溝３，４が形成されていて、配管６が載置されるようになっている。  Ｖ字状溝３，４が形成されている部分を除く両サイド側は平面となっていて、それぞれのサイド側平面部には、貫通孔である４つの取付孔５，５，５，５が貫設されている。取付孔５の貫設位置は、それぞれのサイド側平面部の巾方向中央部で長手方向端部近傍となっている。そして図１に示すように、長手方向の略中央部で巾方向両側面には比較的浅く、底面が平坦状の溝２，２が設けられている。【００１７】  アンカーブロック１の上下両側に形成したＶ字状溝３，４は、大きさ（溝の巾や傾斜角度）を変えて形成されており、単独（裏と表）で異なる配管を適切に載置出来るように配慮されている。配管を載置する溝を前述したようにＶ字状とするだけでも、径の異なる配管を載置することが可能であるのに、上下両側に形成したことにより、その汎用性は更に多くなり、種々の配管用として共通使用することが出来るようになる。尚、Ｖ字状溝３，４の底部は図示の上では鋭角状となっているが、角部での集中応力を軽減して剛性アップを図るため、Ｒ状となっているのは勿論である。更にＶ字状溝３，４は、必ずしも両側に形成する必要は無く、片側面のみに形成したものであってもアンカーブロックとして機能するのはいうまでも無いことである。尚、更に付言すれば、アンカーブロック１の硬度は使用する材料で多少変わるが、ポリプロピレンの場合では、ロックウエルＲ８５〜Ｒ１１０程度が良く、ポリエチレンでも前記ポリプロピレンと同程度で、配管６の載置状態は良好で、敷設後の状態も良い結果を得ている。又、Ｖ字状溝３，４は、大きさ（溝の巾や傾斜角度）を変えて形成すると説明したが、同じ形状であっても有効に使用されるのは云うまでもないことであるが、念の為付言しておくこととする。【００１８】  続いて、図３により、他の実施例を説明するが、図３は図１のＡ−Ａに相当する断面図であるので、図１をも参照しながら説明することとする。アンカーブロック１０は、前述したアンカーブロック１と同様に、ポリプロピレン（ＰＰ）或いはポリエチレン（ＰＥ）等の合成樹脂を材料とし、基本的な形状を略直方体として形成されている。上下両側には、巾方向中央部であって長手方向に平行してＶ字状溝１３，１４が形成されていて、配管６が載置されるようになっている。  Ｖ字状溝１３，１４が形成されている部分を除く両サイド側は平面状とされて���て、それぞれのサイド側平面部に、貫通孔である４つの取付孔１５，１５，１５，１５を貫設している。取付孔１５の貫設位置は、それぞれのサイド側平面部の巾方向中央部で長手方向端部近傍となっている。そして、長手方向の略中央部で巾方向両側面には、比較的浅く底面が平坦状の溝が設けられているが、この溝は、アンカーブロック１に於ける溝２，２と同じである。１７は、アンカーブロック１０内に混在している鉄片（又は鉄粉）であって、アンカーブロック１０成形時、基材であるポリプロピレンやポリエチレン等に練り込むようにして混在させたものである。尚、鉄片１７を混在させた本実施例では、重量軽減を行う為、前記基材であるポリプロピレンやポリエチレン等を発泡させても良い。ここで、念の為付言するが、アンカーブロック１０とアンカーブロック１との相違は、鉄片１７が混在されているか否かのみであるので、更なる説明は省略することとする。【００１９】  このような構成を有するアンカーブロック１もしくはアンカーブロック１０を使用した配管６の敷設方法の一例をアンカーブロック１を代表として取り上げ説明する。配管敷設を計画した部分に溝を掘削し、砂利や砕石を敷いて土留めを施した後所定間隔をおいて所定個数のアンカーブロック１を配設し、凡その位置調整をしてから、配管６を前記アンカーブロック１のＶ字状部３（或いはＶ字状部４）上に載置し、アンカーブロック１の掘削溝への収まり具合を調整し、且つ配菅６のアンカーブロック１への載置状態を確認し、場合によってはシム等を介在させて上下レベルを調整した後配管６同士を接合連接する。尚、この時、アンカーブロック１は、取付孔５を介して図示しない杭棒（再生プラスチック製等）或いは杭棒に相当するものを地中に差し込み固定される。【００２０】  こうして接合連接された配管は、その材料（ポリプロピレンや鋼管等）の如何を問わず、温度により大なり小なり伸縮する。この伸縮は、配管敷設後の配管そのものやアンカーブロック等へ種々弊害をもたらすのである。例えば、温度が高い場合は配管は伸びるが、この伸びによって配管は圧縮力を受け、逆に寒い時は縮むので引張力を受ける。この繰り返しにより、配管の接合連接部にひび割れが生じたり、場合によっては配管折れに繋がることもあるので、配管の伸縮に対応させて、配管とアンカーブロックを強固に固定するのではなく、配管がアンカーブロック上をスライドするよう考慮する必要がある。【００２１】  然し、配管を全てアンカーブロック上でスライド可能とすれば良いかというと、必ずしもそうではない。例えば、曲管や分岐管のように、管の上下、前後ばかりでなく、左右方向からも外力を受けるものについては、ある程度強制的に固定する必要が生ずる。故に前期曲管や分岐管に接合連接する配管に対するアンカーブロックは、通常コンクリート基礎台に設けられたアンカーボルトにより確実に取付け固定されるのである。その取付け方法を本発明による実施例でもって説明すれば、アンカーブロック１は取付孔５と前記アンカーボルトを介して前記コンクリート基礎台に嵌合配設され、ナットにより強固に取り付け固定されることになる。こうして取り付けられたアンカーブロック１上に載置した配管６は、図示し���いバンドでもって強制的に固定される。この時、バンドはアンカーブロック１の下側から溝２，２を介して配管６を締め付けるよう固定している。溝２，２によってバンドがずれないようになっているのは、云うまでも無いことである。この様に、必要に応じて、アンカーブロック１上を配管６がスライド可能に、或いは強制固定されるよう載置した後、土を埋め戻して敷設は完了する。【００２２】  尚、アンカーブロック１及びアンカーブロック１０の基材として使用するポリプロピレンとポリエチレン等について付言する。特にポリプロピレンとポリエチレンは、沢山の合成樹脂の中でも汎用性が高く、価格も比較的安く、その為使用される量も多く、必然的に廃棄される量も大きなものとならざるを得ない。こうした結果、廃棄されたポリプロピレンとポリエチレンは産業廃棄物として、その処理が社会問題にまで発展していて、色々な対策が取られている。本発明によるアンカーブロックは、バージン材は勿論、廃材となったもの即ち廃棄されたポリプロピレンやポリエチレンであっても充分利用可能であり、環境保護へも貢献できるものと考えている。
【図面の簡単な説明】
【００２３】
【図１】本発明によるアンカーブロックの一実施例を示す平面図である。
【図２】図１のＡ−Ａ断面図である。
【図３】本発明によるアンカーブロックの他の実施例を示し、図１のＡ−Ａに相当する断面図である。
【符号の説明】
【００２４】    １、１０  アンカーブロック
２，１２  溝部
３，１３  Ｖ状溝部
４，１４  Ｖ状溝部
５，１５  取付孔
６  配管
１７  鉄片
【図１】
2005325990.tif 000003
【図２】
2005325990.tif 000004
【図３】
2005325990.tif 000005